(57)【要約】【課題】たとえ対応する室外機のアドレス設定を誤った場合でも、冷媒系統ごとの試運転時にアドレス設定を誤った室内機を割り出し、正しいアドレス設定に再登録することができる制御の提供を目的とする。【解決手段】圧縮機運転前後の室内機熱交換器温度比較により、冷媒の流入状態を判定し、室内機における冷媒系統アドレスの正誤を判定し、誤っていた場合は、さらに他系統の運転時に同様の比較を実施し、アドレス設定を誤った室内機を割り出すことができ、正しい冷媒系統アドレスを登録できる。【選択図】図３
2006118765.tif 000002
【特許請求の範囲】
【請求項１】
能力可変型圧縮機、室外側熱交換器、室外送風機、減圧自在な電動式膨張弁、冷房運転と暖房運転を切換える四方弁、室外機制御装置とからなる室外機と、室内側熱交換器、室内送風機、減圧可能な電動式膨張弁、室内機熱交換器温度センサ、室内機吸い込み空気温度センサ、室内機制御装置とからなる複数の室内機とで形成される同一系統の冷凍サイクルを具備した多室型空気調和装置を複数台併設し、前記各室外機制御装置及び室内機制御装置を同一の通信線で接続した空気調和システムにおいて、施工時に各室内機制御装置は同一冷媒系統の室外機を対応室外機としてアドレス設定するが、各々の冷媒系統の冷房試運転時に、室内機熱交換器温度センサが検出した熱交換器温度Ｔｅ１が運転前に検出した熱交換器温度Ｔｅ０に対し所定の温度差以内、すなわちＴｅ０−Ｔｅ１＜αであった場合、該室内機制御装置は対応室外機アドレス設定を誤ったとして異常信号を出力することを特徴とする空気調和装置。
【請求項２】
請求項１に記載の空気調和装置の誤アドレス検知制御において、冷房試運転時の室内機熱交換器温度センサが検出した熱交換器温度Ｔｅ１が室内機吸い込み空気温度センサが検出した吸い込み空気温度Ｔａに対し所定の温度差以内、すなわちＴａ−Ｔｅ１＜αであった場合、該室内機制御装置は対応室外機アドレス設定を誤ったとして異常信号を出力することを特徴とする空気調和装置。
【請求項３】
請求項１に記載の空気調和装置の誤アドレス検知制御において、暖房試運転時の室内機熱交換器温度センサが検出した熱交換器温度Ｔｃ１が運転前に検出した熱交換器温度Ｔｃ０に対し所定の温度差以内、すなわちＴｃ１−Ｔｃ０＜αであった場合、該室内機制御装置は対応室外機アドレス設定を誤ったとして異常信号を出力することを特徴とする空気調和装置。
【請求項４】
請求項１に記載の空気調和装置の誤アドレス検知制御において、暖房試運転時の室内機熱交換器温度センサが検出した熱交換器温度Ｔｃ１が室内機吸い込み空気温度センサが検出した吸い込み空気温度Ｔａに対し所定の温度差以内、すなわちＴｃ１−Ｔａ＜αであった場合、該室内機制御装置は対応室外機アドレス設定を誤ったとして異常信号を出力することを特徴とする空気調和装置。
【請求項５】
請求項１に記載の空気調和装置の誤アドレス検知制御において、異常信号を出力した室内機制御装置は、他の冷凍サイクル系統の試運転時に強制送風運転を行い、室内機熱交換器温度センサが検出した熱交換器温度Ｔｅ１が運転前に検出した熱交換器温度Ｔｅ０に対し所定の温度差以上、すなわちＴｅ０−Ｔｅ１＞αであった場合、該冷凍サイクル系統に対応した室内機であるとして、その系統の室外機アドレスに再登録することを特徴とする空気調和装置。
【請求項６】
請求項２に記載の空気調和装置の誤アドレス検知制御において、異常信号を出力した室内機制御装置は、他の冷凍サイクル系統の試運転時に強制送風運転を行い、室内機熱交換器温度センサが検出した熱交換器温度Ｔｅ１が室内機吸い込み空気温度センサが検出した吸い込み空気温度Ｔａに対し所定の温度差以上、すなわちＴａ−Ｔｅ１＞αであった場合、該冷凍サイクル系統に対応した室内機であるとして、その系統の室外機アドレスに再登録することを特徴とする空気調和装置。
【請求項７】
請求項３に記載の空気調和装置の誤アドレス検知制御において、異常信号を出力した室内機制御装置は、他の冷凍サイクル系統の試運転時に強制送風運転を行い、室内機熱交換器温度センサが検出した熱交換器温度Ｔｃ１が運転前に検出した熱交換器温度Ｔｃ０に対し所定の温度差以上、すなわちＴｃ１−Ｔｃ０＞αであった場合、該冷凍サイクル系統に対
応した室内機であるとして、その系統の室外機アドレスに再登録することを特徴とする空気調和装置。
【請求項８】
請求項４に記載の空気調和装置の誤アドレス検知制御において、異常信号を出力した室内機制御装置は、他の冷凍サイクル系統の試運転時に強制送風運転を行い、室内機熱交換器温度センサが検出した熱交換器温度Ｔｃ１が室内機吸い込み空気温度センサが検出した吸い込み空気温度Ｔａに対し所定の温度差以上、すなわちＴｃ１−Ｔａ＞αであった場合、該冷凍サイクル系統に対応した室内機であるとして、その系統の室外機アドレスに再登録することを特徴とする空気調和装置。
【発明の詳細な説明】
【技術分野】
【０００１】
本発明は、誤アドレス検知制御を搭載した空気調和装置に関するものである。
【背景技術】
【０００２】
従来の空気調和装置におけるアドレス設定方法は、図５の動作フローチャートに示すように、室内側熱交換器の温度と低圧飽和温度との比較から冷媒の流れを検知し、室内機と室外機の冷媒系統の対応関係を判定し自動的に冷媒系統アドレスを割り付けるものが一般的である（例えば、特許文献１参照）。
【特許文献１】特開２００３−９０５８５号公報
【発明の開示】
【発明が解決しようとする課題】
【０００３】
しかしながら、このような多くの系統が併設された空気調和システムの場合、室外機から室内機までの配管長さや季節によっては、冷媒が流れていても室内側熱交換器の温度と低圧飽和温度に顕著な差が生じず、誤った冷媒系統アドレス設定がなされるケースがあった。
【０００４】
本発明は、上記従来の課題を解決するもので、たとえ対応する室外機のアドレス設定を誤った場合でも、冷媒系統ごとの試運転時に各々の室内機の熱交換器温度変化からアドレス設定を誤った室内機を割り出し、正しいアドレス設定に再登録することができる制御の提供を目的とする。
【課題を解決するための手段】
【０００５】
上記課題を解決する為に本発明は、冷媒系統ごとの試運転時に、例えば冷房試運転の場合は室内機熱交換器温度センサが検出した熱交換器温度Ｔｅ１が運転前に検出した熱交換器温度Ｔｅ０に対し所定の温度差以内、すなわちＴｅ０−Ｔｅ１＜αであった場合、該室内機制御装置は対応室外機アドレス設定を誤ったとして異常信号を出力するもので、この構成をなすことによりアドレス設定を誤った室内機を割り出すことが可能となる。
【発明の効果】
【０００６】
以上のように本発明の誤アドレス検知制御は、多くの冷媒系統が併設された空気調和システムにおいて、室内機の対応する室外機アドレス設定を誤った場合でも、冷媒系統ごとの試運転時に、例えば冷房試運転の場合は室内機熱交換器温度センサが検出した熱交換器温度Ｔｅ１が運転前に検出した熱交換器温度Ｔｅ０に対し所定の温度差以内、すなわちＴｅ０−Ｔｅ１＜αであった場合、該室内機制御装置は対応室外機アドレス設定を誤ったとして異常信号を出力することにより、アドレス設定を誤った室内機を割り出すことができる。
【発明を実施するための最良の形態】
【０００７】
第１の発明は、冷媒系統ごとの冷房試運転時に、室内機熱交換器温度センサが検出した熱交換器温度Ｔｅ１が運転前に検出した熱交換器温度Ｔｅ０に対し所定の温度差以内、すなわちＴｅ０−Ｔｅ１＜αであった場合、該室内機制御装置は対応室外機アドレス設定を誤ったとして異常信号を出力することにより、アドレス設定を誤った室内機を割り出すことができる。
【０００８】
第２の発明は、特に、第１の発明における誤アドレス検知制御において、冷房試運転時の室内機熱交換器温度センサが検出した熱交換器温度Ｔｅ１が室内機吸い込み空気温度セ
ンサが検出した吸い込み空気温度Ｔａに対し所定の温度差以内、すなわちＴａ−Ｔｅ１＜αであった場合、該室内機制御装置は対応室外機アドレス設定を誤ったとして異常信号を出力することにより、アドレス設定を誤った室内機を割り出すことができる。
【０００９】
第３の発明は、特に、第１の発明における誤アドレス検知制御において、暖房試運転時の室内機熱交換器温度センサが検出した熱交換器温度Ｔｃ１が運転前に検出した熱交換器温度Ｔｃ０に対し所定の温度差以内、すなわちＴｃ１−Ｔｃ０＜αであった場合、該室内機制御装置は対応室外機アドレス設定を誤ったとして異常信号を出力することにより、アドレス設定を誤った室内機を割り出すことができる。
【００１０】
第４の発明は、特に、第１の発明における誤アドレス検知制御において、暖房試運転時の室内機熱交換器温度センサが検出した熱交換器温度Ｔｃ１が室内機吸い込み空気温度センサが検出した吸い込み空気温度Ｔａに対し所定の温度差以内、すなわちＴｃ１−Ｔａ＜αであった場合、該室内機制御装置は対応室外機アドレス設定を誤ったとして異常信号を出力することにより、アドレス設定を誤った室内機を割り出すことができる。
【００１１】
第５の発明は、特に、第１の発明における誤アドレス検知制御において、異常信号を出力した室内機制御装置は、他の冷凍サイクル系統の試運転時に強制送風運転を行い、室内機熱交換器温度センサが検出した熱交換器温度Ｔｅ１が運転前に検出した熱交換器温度Ｔｅ０に対し所定の温度差以上、すなわちＴｅ０−Ｔｅ１＞αであった場合、該冷凍サイクル系統に対応した室内機であるとして、その系統の室外機アドレスに再登録することにより、容易に誤ったアドレスを正すことができる。
【００１２】
第６の発明は、特に、第２の発明における誤アドレス検知制御において、異常信号を出力した室内機制御装置は、他の冷凍サイクル系統の試運転時に強制送風運転を行い、室内機熱交換器温度センサが検出した熱交換器温度Ｔｅ１が室内機吸い込み空気温度センサが検出した吸い込み空気温度Ｔａに対し所定の温度差以上、すなわちＴａ−Ｔｅ１＞αであった場合、該冷凍サイクル系統に対応した室内機であるとして、その系統の室外機アドレスに再登録することにより、容易に誤ったアドレスを正すことができる。
【００１３】
第７の発明は、特に、第３の発明における誤アドレス検知制御において、異常信号を出力した室内機制御装置は、他の冷凍サイクル系統の試運転時に強制送風運転を行い、室内機熱交換器温度センサが検出した熱交換器温度Ｔｃ１が運転前に検出した熱交換器温度Ｔｃ０に対し所定の温度差以上、すなわちＴｃ１−Ｔｃ０＞αであった場合、該冷凍サイクル系統に対応した室内機であるとして、その系統の室外機アドレスに再登録することにより、容易に誤ったアドレスを正すことができる。
【００１４】
第８の発明は、特に、第４の発明における誤アドレス検知制御において、異常信号を出力した室内機制御装置は、他の冷凍サイクル系統の試運転時に強制送風運転を行い、室内機熱交換器温度センサが検出した熱交換器温度Ｔｃ１が室内機吸い込み空気温度センサが検出した吸い込み空気温度Ｔａに対し所定の温度差以上、すなわちＴｃ１−Ｔａ＞αであった場合、該冷凍サイクル系統に対応した室内機であるとして、その系統の室外機アドレスに再登録することにより、容易に誤ったアドレスを正すことができる。
【００１５】
以下、本発明の実施の形態について、図面を参照しながら説明する。なお、本実施の形態によって本発明が限定されるものではない。
【００１６】
（実施の形態１）
図１は本発明の実施例を示す冷凍サイクル図である。同図において、冷凍サイクルは能力可変型圧縮機１、室外側熱交換器２、室外送風機３、減圧自在な電動式膨張弁４、冷房
運転と暖房運転を切換える四方弁５、室外機制御装置６とからなる室外機７と、室内側熱交換器８、室内送風機９、減圧可能な電動式膨張弁１０、室内機熱交換器温度センサ１１、室内機吸い込み空気温度センサ１２、室内機制御装置１３とからなる複数の室内機１４とで構成されている。
【００１７】
図２は本発明の実施例を示す空気調和システムの概略図である。室外機７に複数の室内機１４が冷媒配管１５で接続され同一の冷媒系統Ａを構成している。また同様に別の冷媒系統Ｂ、冷媒系統Ｃを併設し、全室外機及び全室内機を１本の通信線１６で接続している。さらに、施工後、室内機１４は自身が属している冷媒系統アドレス（Ａ１、Ａ２、・・・Ａｎ）を室内機制御装置１３に設定する作業を行う。
【００１８】
ここで、図２に示すように、１部の室内機１４において室内機制御装置１３に設定した冷媒系統アドレスに誤りがあった場合の空気調和システムについて、動作を説明する。
【００１９】
図３は本発明の誤アドレスを検知する方法を説明するための動作フローチャートである。
【００２０】
図３に示すように、任意の冷媒系統（Ａ、Ｂ、Ｃ）において冷房或いは暖房の試運転を開始する。冷房試運転の場合、圧縮機１の運転開始前に、同一冷媒系統内の室内機１４はそれぞれ室内機熱交換器温度センサ１１により熱交換器温度Ｔｅ０を検出し、圧縮機１の運転を開始。その後再び、室内機熱交換器温度センサ１１により熱交換器温度Ｔｅ１を検出しＴｅ０と比較する。それぞれの室内機１４において比較結果がＴｅ０−Ｔｅ１＜αとならなければ正規アドレスと判定し、逆にＴｅ０−Ｔｅ１＜αとなれば誤アドレスとして異常信号を出力する。
【００２１】
これらの動作により、冷房試運転において、アドレス設定を誤った室内機を割り出すことができる。
【００２２】
（実施の形態２）
図４は本発明の誤アドレスを検知する方法を説明するための動作フローチャートである。
【００２３】
図４に示すように、任意の冷媒系統（Ａ、Ｂ、Ｃ）において冷房或いは暖房の試運転を開始する。
【００２４】
冷房試運転の場合、圧縮機１の運転を開始後、室内機熱交換器温度センサ１１により熱交換器温度Ｔｅ１を、室内機吸い込み空気温度センサ１２により吸い込み空気温度Ｔａを検出し比較する。それぞれの室内機１４において比較結果がＴａ−Ｔｅ１＜αとならなければ正規アドレスと判定し、逆にＴｅ０−Ｔｅ１＜αとなれば誤アドレスとして異常信号を出力する。
【００２５】
これらの動作により、冷房試運転において、アドレス設定を誤った室内機を割り出すことができる。
【００２６】
（実施の形態３）
図３において、暖房試運転の場合、圧縮機１の運転開始前に、同一冷媒系統内の室内機１４はそれぞれ室内機熱交換器温度センサ１１により熱交換器温度Ｔｃ０を検出し、圧縮機１の運転を開始。その後再び、室内機熱交換器温度センサ１１により熱交換器温度Ｔｃ１を検出しＴｃ０と比較する。それぞれの室内機１４において比較結果がＴｃ１−Ｔｃ０＜αとならなければ正規アドレスと判定し、逆にＴｃ１−Ｔｃ０＜αとなれば誤アドレス
として異常信号を出力する。
【００２７】
これらの動作により、冷房試運転において、アドレス設定を誤った室内機を割り出すことができる。
【００２８】
（実施の形態４）
図４において、暖房試運転の場合、圧縮機１の運転を開始後、室内機熱交換器温度センサ１１により熱交換器温度Ｔｃ１を、室内機吸い込み空気温度センサ１２により吸い込み空気温度Ｔａを検出し比較する。それぞれの室内機１４において比較結果がＴｃ1−Ｔａ＜αとならなければ正規アドレスと判定し、逆にＴｃ1−Ｔａ＜αとなれば誤アドレスとして異常信号を出力する。
【００２９】
これらの動作により、冷房試運転において、アドレス設定を誤った室内機を割り出すことができる。
【００３０】
（実施の形態５）
図３において、誤アドレスとして異常信号を出力した室内機が存在した場合について述べる。
【００３１】
引き続き、まず別の冷媒系統（Ａ、Ｂ、Ｃ）において冷房或いは暖房の試運転を開始する。
【００３２】
冷房試運転の場合、異常信号を出力した室内機制御装置１３は、圧縮機１運転開始前に強制送風運転を行い、室内機熱交換器温度センサ１１により熱交換器温度Ｔｅ０を検出し、圧縮機１の運転を開始。その後再び、室内機熱交換器温度センサ１１により熱交換器温度Ｔｅ１を検出しＴｅ０と比較する。
【００３３】
異常信号を出力した室内機１４において比較結果がＴｅ０−Ｔｅ１＞αとならなければ誤アドレスと判定し、異常信号を出力し、別の冷媒系統の試運転時に同様の動作を実施する。逆にＴｅ０−Ｔｅ１＞αとなれば該冷凍サイクル系統に対応した室内機であるとして、その系統の室外機アドレスに再登録する。
【００３４】
これらの動作により、容易に誤ったアドレスを正すことができる。
【００３５】
（実施の形態６）
図４において、誤アドレスとして異常信号を出力した室内機が存在した場合について述べる。
【００３６】
引き続き、まず別の冷媒系統（Ａ、Ｂ、Ｃ）において冷房或いは暖房の試運転を開始する。
【００３７】
冷房試運転の場合、異常信号を出力した室内機制御装置１３は、圧縮機１運転開始前に強制送風運転を行った後、圧縮機１の運転を開始。その後、室内機熱交換器温度センサ１１により熱交換器温度Ｔｅ１を、室内機吸い込み空気温度センサ１２により吸い込み空気温度Ｔａを検出し比較する。
【００３８】
異常信号を出力した室内機１４において比較結果がＴａ−Ｔｅ１＞αとならなければ誤アドレスと判定し、異常信号を出力し、別の冷媒系統の試運転時に同様の動作を実施する。
【００３９】
逆にＴａ−Ｔｅ１＞αとなれば該冷凍サイクル系統に対応した室内機であるとして、その系統の室外機アドレスに再登録する。
【００４０】
これらの動作により、容易に誤ったアドレスを正すことができる。
【００４１】
（実施の形態７）
図３において、別の冷媒系統（Ａ、Ｂ、Ｃ）の暖房試運転の場合、異常信号を出力した室内機制御装置１３は、圧縮機１運転開始前に強制送風運転を行い、室内機熱交換器温度センサ１１により熱交換器温度Ｔｃ０を検出し、圧縮機１の運転を開始。その後再び、室内機熱交換器温度センサ１１により熱交換器温度Ｔｃ１を検出しＴｃ０と比較する。
【００４２】
異常信号を出力した室内機１４において比較結果がＴｃ１−Ｔｃ０＞αとならなければ誤アドレスと判定し、異常信号を出力し、別の冷媒系統の試運転時に同様の動作を実施する。
【００４３】
逆にＴｃ１−Ｔｃ０＞αとなれば該冷凍サイクル系統に対応した室内機であるとして、
その系統の室外機アドレスに再登録する。
【００４４】
これらの動作により、容易に誤ったアドレスを正すことができる。
【００４５】
（実施の形態８）
図４において、別の冷媒系統（Ａ、Ｂ、Ｃ）の暖房試運転の場合、異常信号を出力した室内機制御装置１３は、圧縮機１運転開始前に強制送風運転を行った後、圧縮機１の運転を開始。その後、室内機熱交換器温度センサ１１により熱交換器温度Ｔｃ１を、室内機吸い込み空気温度センサ１２により吸い込み空気温度Ｔａを検出し比較する。
【００４６】
異常信号を出力した室内機１４において比較結果がＴｃ１−Ｔａ＞αとならなければ誤アドレスと判定し、異常信号を出力し、別の冷媒系統の試運転時に同様の動作を実施する。
【００４７】
逆にＴｃ１−Ｔａ＞αとなれば該冷凍サイクル系統に対応した室内機であるとして、その系統の室外機アドレスに再登録する。
【００４８】
これらの動作により、容易に誤ったアドレスを正すことができる。
【産業上の利用可能性】
【００４９】
本発明の誤アドレス検知制御は、誤アドレスとなった室内機を検出し、さらに正規アドレスに正すことができるが、冷媒系統の数に制約はなく、増減があっても良い。
【図面の簡単な説明】
【００５０】
【図１】本発明の実施形態を示す冷凍サイクル図
【図２】本発明の実施形態を示す空気調和システムの概略図
【図３】本発明の実施の形態１、３、５、７を示す動作フローチャート
【図４】本発明の実施の形態２、４、６、８を示す動作フローチャート
【図５】従来のフローチャート
【符号の説明】
【００５１】
１  能力可変型圧縮機
２  室外側熱交換器
３  室外送風機
４  電動式膨張弁
５  四方弁
６  室外機制御装置
７  室外機
８  室内側熱交換器
９  室内送風機
１０  電動式膨張弁
１１  室内機熱交換器温度センサ
１２  室内機吸い込み空気温度センサ
１３  室内機制御装置
１４  室内機
１５  冷媒配管
１６  通信線
【図１】
2006118765.tif 000003
【図２】
2006118765.tif 000004
【図３】
2006118765.tif 000005
【図４】
2006118765.tif 000006
【図５】
2006118765.tif 000007